(57)【特許請求の範囲】
【請求項１】
防災システムに関する情報を格納する格納手段と、
前記格納手段が格納している情報に基づいて、前記防災システムの位置を特定する位置特定情報を出力する出力手段と、
前記防災システムを監視する監視モードを指定する監視モード指定情報又は前記防災システムを管理する管理モードを指定する管理モード指定情報のうちの、何れか一方の指定情報を受信する受信手段と、を備え、
前記出力手段は、前記受信手段が前記監視モード指定情報を受信した場合に、前記位置特定情報を出力せず、前記受信手段が前記管理モード指定情報を受信した場合に、前記位置特定情報を出力する、
防災受信機。
【請求項２】
前記出力手段は、前記位置特定情報を表示して出力し、
前記出力手段は、指定されている表示倍率に応じて、前記位置特定情報の表示内容を異ならせる、
請求項１に記載の防災受信機。
【請求項３】
前記位置特定情報は、消防用の配線の位置を特定する情報を含む、
請求項１又は２に記載の防災受信機。
【発明の詳細な説明】
【技術分野】
【０００１】
本発明は、防災受信機に関する。
【背景技術】
【０００２】
従来、監視領域の状態を表示する防災表示装置が知られている（例えば、特許文献１）。この防災表示装置は、監視領域を示す地図画像に対して、当該監視領域に設けられている防災機器を示す機器画像を表示した上で、これらの画像を当該監視領域に応じた表示状態にすることにより、監視領域の状態を表示している。そして、防災機器のメンテナンスを行う場合、この防災表示装置に表示されている機器画像を目視にて確認することにより、メンテナンス対象機器を特定した上で、特定した当該メンテナンス対象機器に対応する防災機器のメンテナンス作業を行っていた。
【先行技術文献】
【特許文献】
【０００３】
【特許文献１】特開平１０-２６１１７６号公報
【発明の概要】
【発明が解決しようとする課題】
【０００４】
しかしながら、互いに同様な外観の防災機器が監視領域に複数設けられている場合、機器画像を目視にて確認することにより特定したメンテナンス対象機器に対応する防災機器を、当該監視領域において実際に特定するのが煩雑となり、メンテナンス作業の作業効率が低下する虞があった。
【０００５】
本発明は上記問題に鑑みてなされたもので、防災システムに関する作業の作業効率を向上させることができる、防災受信機を提供することを目的とする。
【課題を解決するための手段】
【０００６】
上述した課題を解決し、目的を達成するために、請求項１に記載の防災受信機は、防災システムに関する情報を格納する格納手段と、前記格納手段が格納している情報に基づいて、前記防災システムの位置を特定する位置特定情報を出力する出力手段と、前記防災システムを監視する監視モードを指定する監視モード指定情報又は前記防災システムを管理する管理モードを指定する管理モード指定情報のうちの、何れか一方の指定情報を受信する受信手段と、を備え、前記出力手段は、前記受信手段が前記監視モード指定情報を受信した場合に、前記位置特定情報を出力せず、前記受信手段が前記管理モード指定情報を受信した場合に、前記位置特定情報を出力する。
【０００７】
また、請求項２に記載の防災受信機は、請求項１に記載の防災受信機において、前記出力手段は、前記位置特定情報を表示して出力し、前記出力手段は、指定されている表示倍率に応じて、前記位置特定情報の表示内容を異ならせる。
【０００８】
また、請求項３に記載の防災受信機は、請求項１又は２に記載の防災受信機において、前記位置特定情報は、消防用の配線の位置を特定する情報を含む。
【発明の効果】
【００１０】
請求項１に記載の防災受信機によれば、防災システムの位置を特定する位置特定情報を出力することができるので、当該情報に基づいて防災システムの位置を容易に特定することができ、防災システムに関する作業の作業効率を向上させることができる。
また、監視モード指定情報を受信した場合に、位置特定情報を出力せず、受信手段が管理モード指定情報を受信した場合に、位置特定情報を出力することができるので、各モードに応じた適切な情報を出力し、防災システムに関する作業の作業効率を向上させることができる。従って、例えば、監視モードを指定した場合、位置特定情報を出力しないので、冗長な情報が出力されるのを防止し、防災システムを効率良く監視することができる。また、例えば、管理モードを指定した場合、位置特定情報を出力するので、当該情報に基づいて防災システムの位置を容易に特定することができ、防災システムのメンテナンス作業、又は、当該防災システムの設置に関する施工作業等を、効率良く行うことができる。
【図面の簡単な説明】
【００１４】
【図１】本発明の実施の形態に係る防災システムを示すブロック図である。
【図２】実施の形態に係る特殊レイヤ特定情報を示す図である。
【図３】実施の形態に係る出力処理のフローチャートである。
【図４】通常監視画像情報の表示例である。
【図５】管理画像情報の表示例である。
【図６】管理画像情報を２倍の表示倍率で表示した場合の表示例である。
【発明を実施するための形態】
【００１５】
以下に、本発明に係る防災受信機の実施の形態を図面に基づいて詳細に説明する。なお、この実施の形態によりこの発明が限定されるものではない。
【００１６】
〔実施の形態の基本的概念〕
まずは、実施の形態の基本的概念について説明する。実施の形態は、概略的に、防災システムに関する情報に基づいて、防災システムの位置を特定する位置特定情報を出力する防災受信機に関するものである。
【００１７】
ここで、「防災システム」とは、防災のためのシステムであり、例えば、監視領域において防災のために用いられる防災機器からなるシステムを含む概念である。また、「監視領域」は、防災システムによる監視対象となっている領域であり、例えば、建築物の部屋、廊下、及び階段等を含む概念である。
【００１８】
また、以下の実施の形態においては、感知器及び防排煙装置を防災機器として含んでいる防災システムに本発明を適用する場合について説明するが、これらの装置のうちの一部の装置のみが防災機器として含まれている防災システムについても、又は、これらの装置以外の装置が防災機器として含まれている防災システムについても、又は、防災システム以外の所定のシステムについても、本発明を同様に適用することができる。
【００１９】
（構成）
まず、本実施の形態に係る防災システムの構成について説明する。図１は、本実施の形態に係る防災システムを示すブロック図である。
【００２０】
まず、防災システム１００は、災害を防止するためのシステムであり、建築物に設けられているシステムである。この防災システム１００は、防排煙装置１、感知器２、及び受信機３００を備えており、これらの装置は所定の通信線を介して通信できるように接続されている。ここで、防排煙装置１は、複数の防排煙装置の総称であり、感知器２は、複数の感知器の総称であるものとして、以下説明する。
【００２１】
（構成‐防排煙装置）
防排煙装置１は、屋内への煙の侵入を防止したり、屋内の煙を排出したりするための防災手段であり、具体的には、所定のダンパー等を備えて構成されている。
【００２２】
（構成‐感知器）
また、感知器２は、監視領域における異常の発生を検出する防災検出手段であり、具体的には、火災やガス漏れ等を検出した場合に発報信号を出力する装置であって、例えば、煙感知器、ガス感知器、又は熱感知器等である。
【００２３】
（構成‐受信機）
また、受信機３００は、各種信号を受信して、受信した信号に応じた処理を行う防災受信手段（防災受信機）であり、具体的には、受信機本体３、及び情報出力装置４を備える。
【００２４】
（構成‐受信機‐受信機本体）
まず、受信機本体３は、受信機３００の本体であり、具体的には、感知器２から出力された発報信号を受信して、受信した発報信号に基づいて所定の報知を行うと共に、当該発報信号を中継して後述の情報出力装置４に対して当該発報信号を送信する装置であり、例えば、表示ディスプレイ等の表示手段等を備えて構成されている。
【００２５】
（構成‐受信機‐情報出力装置）
次に、情報出力装置４は、防災システム１００に関する情報を出力する情報出力手段であり、具体的には、防災に関する情報を表示して出力する防災表示装置であって、例えば、パーソナルコンピュータ等を含む汎用的に用いられる装置、又は、防災システム１００のための専用装置等によって構成されているものであり、また、所定の通信線を介して受信機本体３に接続されており、そして、通信部４１、操作部４２、表示部４３、記憶部４４、及び制御部４５を備える。
【００２６】
まず、通信部４１は、防災システム１００に含まれている装置との間で通信を行うための通信手段であり、具体的には、通信インターフェース等を備えて構成されている。
【００２７】
また、操作部４２は、情報出力装置４に対する情報入力等に関する各種の操作を行うための操作手段であり、具体的には、キーボード又はマウス等を備えて構成されている。
【００２８】
また、表示部４３は、防災システム１００に関する情報を出力するための出力手段であって、特に、当該情報を表示するための表示手段であり、具体的には、ディスプレイ等を備えて構成されている。
【００２９】
また、記憶部４４は、情報出力装置４の動作に必要なプログラム及び各種デ−タが記憶されている記憶手段であり、具体的には、配置レイヤ特定情報、シンボルレイヤ特定情報、及び特殊レイヤ特定情報等が防災システム１００に関する情報として記憶されている。
【００３０】
ここで、「配置レイヤ特定情報」とは、配置レイヤを特定する情報であり、また、「配置レイヤ」とは、監視領域についての配置に関するレイヤを特定する情報であり、具体的には、監視領域における各領域を形成する建築物の壁、床、天井等の位置、大きさ、形状等を示す情報を含んでいるレイヤである。なお、「レイヤ」とは、情報の集合を示している。
【００３１】
また、「シンボルレイヤ特定情報」とは、シンボルレイヤを特定する情報であり、また、「シンボルレイヤ」とは、防災システム１００に含まれている装置に関するレイヤを特定する情報であり、具体的には、監視領域の各領域に配置される装置自体、及び、当該装置が配置される領域を特定する情報を含んでいるレイヤである。
【００３２】
また、図２は、実施の形態に係る特殊レイヤ特定情報を示す図である。この「特殊レイヤ特定情報」とは、後述する条件に該当する場合に用いられる特殊レイヤを特定する情報であり、具体的には、項目「条件」及び項目「特殊レイヤ」と、各項目に対応する情報が相互に関連付けられて記憶されている情報である。
【００３３】
そして、特殊レイヤ特定情報の項目「条件」に対応して記憶される情報は、特殊レイヤが用いられる条件を特定する情報（図２の場合、「動作モードがメンテナンスモード又は施工モード、且つ、表示倍率が２倍未満」等）であり、具体的には、情報出力装置４の動作モード及び表示倍率を特定する情報である。なお、動作モード及び表示倍率については、後述する。
【００３４】
また、特殊レイヤ特定情報の項目「特殊レイヤ」に対応して記憶される情報は、項目「条件」が示す条件に対応する特殊レイヤを特定する情報（図２の場合、「特殊レイヤＬｍ」等）である。「特殊レイヤ」とは、予め定められた条件に該当する場合にのみ用いられるレイヤであり、具体的には、防災システム１００に含まれている装置の位置を特定する位置特定情報として、通り芯情報を含んでいる情報である。なお、通り芯情報については、後述する。
【００３５】
ここで、「動作モード」とは、情報出力装置４を動作させるモードであって、具体的には、後述の動作モード指定情報に基づいて、相互に異なるモードとしての、通常監視モード、メンテナンスモード、又は施工モードのうちの何れか一つモードに設定される。
【００３６】
まず、「通常監視モード」とは、防災システム１００に含まれる装置を監視するための監視モードとしての第１モードであり、具体的には、防災システム１００を用いて通常通り監視領域を監視する場合に設定される防災システム１００に関するモードである。また、「メンテナンスモード」とは、防災システム１００に含まれる装置を管理するための管理モードとしての第２モードであり、具体的には、当該装置のメンテナンス等を行うためのモードであって、当該装置の発報試験を行ったり、当該装置の詳細情報を確認したりする場合に設定される防災システム１００に関するモードである。また、「施工モード」とは、防災システム１００に含まれる装置を管理するための管理モードとしての第２モードであり、具体的には、当該装置の建築物への設置作業を含む施工を行うためのモードであって、当該装置に関する情報出力装置４の設定等を行う場合に設定される防災システム１００に関するモードである。また、「動作モード指定情報」とは、動作モードとして情報出力装置４に対して設定されるモードを指定するための情報であり、具体的には、通常監視モードを指定する通常監視モード指定情報（第１指定情報）、メンテナンスモードを指定するメンテナンスモード指定情報（第２指定情報）、又は施工モードを指定する施工モード指定情報（第２指定情報）に対応する情報であって、ユーザが操作部４２を介して操作することにより制御部４５が受信する情報である。
【００３７】
また、「表示倍率」とは、図１の表示部４３を介して表示される画像を表示する倍率（例えば、１倍、２倍、４倍等であり、具体的には、所定のデフォルトサイズの表示サイズに対する相対的な倍率であって、表示倍率指定情報に基づいて指定される倍率である。また、「表示倍率指定情報」とは、表示倍率を指定するための情報であり、具体的には、ユーザが操作部４２を介して操作することにより制御部４５が受信する情報である。
【００３８】
また、「通り芯情報」とは、通り芯の位置を特定する情報であり、具体的には、通り芯位置情報、通り芯識別情報、及び通り芯表示状態情報が含まれている情報である。そして、「通り芯位置情報」とは、防災システム１００に含まれている装置が設置されている建築物の柱との関係における各通り芯自体の位置を示す情報である。また、「通り芯識別情報」とは、通り芯位置情報によって位置が示されている各通り芯を一意に識別するための情報であり、具体的には、テキスト情報（例えば、互いに直交するＸ軸方向及びＹ軸方向における座標に対応する「Ｘ１」、「Ｘ２」、「Ｙ１」）等に対応する情報である。「通り芯表示状態情報」とは、通り芯情報に対応する情報を表示部４３に表示する場合の、当該通り芯情報に対応する情報の表示状態を示す情報であり、具体的には、図２の特殊レイヤＬｍ、Ｌｍ２、Ｌｍ４毎に定められている。なお、ここでは、「通り芯表示状態情報」については、特殊レイヤＬｍでは、通り芯が破線で表示され、且つ、通り芯識別情報に対応する情報が画面の端のみに表示されることが定められており、特殊レイヤＬｍ２、Ｌｍ４では、通り芯が破線で表示され、且つ、通り芯識別情報に対応する情報が画面の端及び柱の近傍の双方に表示されることが定められていることとして、以下説明する。
【００３９】
図１に戻って、また、制御部４５は、情報出力装置４に関する各種の制御を行う制御手段であり、また、前述したように各指定情報を受信する受信手段でもあり、具体的には、ＣＰＵ、当該ＣＰＵ上で解釈実行される各種のプログラム（ＯＳなどの基本制御プログラムや、ＯＳ上で起動され特定機能を実現するアプリケ−ションプログラムを含む）、及びプログラムや各種のデ−タを格納するためのＲＡＭの如き内部メモリを備えて構成されるコンピュ−タである。特に、実施の形態に係る情報出力プログラムは、任意の記録媒体又はネットワ−クを介して制御部４５にインストールされることで、制御部４５の各部を実質的に構成する。
【００４０】
この制御部４５は、機能概念的に、モード判定部４５１、認証部４５２、及び画像処理部４５３を有する。そして、まず、モード判定部４５１は、情報出力装置４に設定する動作モードに関する判定を行うモード判定手段であり、具体的には、制御部４５が受信した動作モード指定情報に基づいて判定を行う。また、認証部４５２は、情報出力装置４の動作モードを設定する場合に認証を行う認証手段である。また、画像処理部４５３は、表示部４３に表示する画像情報に関する処理を行う画像処理手段ある。なお、これら制御部４５の各部により行われる処理については、後述する。
【００４１】
（処理）
次に、このように構成された情報出力装置４によって行われる出力処理及び当該処理の具体例について説明する。この出力処理は、情報出力装置４の電源スイッチをオンした後に、起動する。ここでは、図１の制御部４５に対して動作モード指定情報及び表示倍率指定情報が入力されたところから説明する。
【００４２】
（処理‐出力処理）
図３は、実施の形態に係る出力処理のフローチャートである（以下の各処理の説明ではステップを「Ｓ」と略記する）。まず、この図３のＳＡ１において制御部４５は、前述の動作モード指定情報と表示倍率指定情報を受信する。そして、ＳＡ１について具体的には、操作部４２による操作に基づいて入力された動作モード指定情報及び表示倍率指定情報を受信する。
【００４３】
次に、図３のＳＡ２においてモード判定部４５１は、情報出力装置４の動作モードを通常監視モードに設定するか否かを判定する。具体的には、ＳＡ１で受信した動作モード指定情報が通常監視モード指定情報であるか否かを判定する。そして、通常監視モードに設定すると判定した場合（つまり、ＳＡ１で受信した動作モード指定情報が通常監視モード指定情報である場合）（ＳＡ２のＹＥＳ）、情報出力装置４の動作モードを通常監視モードに設定し、ＳＡ３に移行する。また、通常監視モードを設定しないと判定した場合（つまり、ＳＡ１で受信した動作モード指定情報が通常監視モード指定情報ではなく、メンテナンスモード指定情報、又は施工モード指定情報である場合）（ＳＡ２のＮＯ）、ＳＡ５に移行する。
【００４４】
図３のＳＡ３において画像処理部４５３は、図１の記憶部４４に記憶されている情報に基づいて、後述する通常監視画像情報を生成する。具体的には、配置レイヤ特定情報及びシンボルレイヤ特定情報を取得して、取得したこれらの情報を合成することにより、通常監視画面５に対応する通常監視画像情報を生成する。
【００４５】
ここで、図４は、実施の形態に係る通常監視画像情報の表示例である。この「通常監視画像情報」とは、図１の表示部４３に表示される画像情報であり、具体的には、情報出力装置４の動作モードが通常監視モードに設定された場合に表示する画面（つまり、図４の「通常監視画面５」）を特定する情報であって、図２の項目「特殊レイヤ」に対応して記憶される情報（つまり、特殊レイヤ）における通り芯情報に対応する情報を含んでいない第１情報である。
【００４６】
また、図４の通常監視画面５は、防災システム１００を用いて監視領域を監視するための図面情報の画面であり、具体的には、レイアウト画像５０、防排煙装置シンボル５１、及び感知器シンボル５２が含んでいる画面である。そして、レイアウト画像５０は、防災システム１００に含まれている装置が設けられる建築物の平面図に対応する画像であり、具体的には、壁５０１、柱５０２（図４の場合、矩形の画像）、扉５０３等が含まれている画像である。また、防排煙装置シンボル５１は、建築物に設けられている防災機器としての図１の防排煙装置１に対応する画像（図４の場合、円形の画像）である。感知器シンボル５２は、建築物に設けられている防災機器としての図１の感知器２に対応する画像（図４の場合、三角形の画像）である。
【００４７】
図３に戻って、次に、ＳＡ４において画像処理部４５３は、ＳＡ３で生成した通常監視画像情報を、ＳＡ１で受信した表示倍率指定情報が指定する表示倍率となるように、表示部４３に表示した後、ＳＡ１に移行する。ここでは、例えば、表示倍率指定情報が「１倍」を指定している場合、図４の通常監視画面５のように表示する。
【００４８】
また、図３のＳＡ５において認証部４５２は、ユーザの管理レベルに関する認証を行う。具体的には、パスワード等を用いて認証を行う。そして、ユーザの管理レベルが正当であるものと判断した場合（ＳＡ５のＹＥＳ）、情報出力装置４の動作モードを、ＳＡ１で受信した動作モード指定情報が指定するモードに設定し、ＳＡ６に移行する。具体的には、ＳＡ１で受信した動作モード指定情報がメンテナンスモード指定情報である場合、メンテナンスモードに設定し、また、ＳＡ１で受信した動作モード指定情報が施工モード指定情報である場合、施工モードに設定し、ＳＡ６に移行する。また、ユーザの管理レベルが正当でないものと判断した場合（ＳＡ５のＮＯ）、ＳＡ５の処理を再度行う。なお、「ＳＡ５のＮＯ」の処理が所定回数行われた場合、所定の警告メッセージを出力した後に、出力処理を終了することとしてもよい。
【００４９】
図３のＳＡ６において画像処理部４５３は、図１の記憶部４４に記憶されている情報に基づいて、管理画像情報を生成する。
【００５０】
ここで、図５は、実施の形態に係る管理画像情報の表示例である。この「管理画像情報」とは、表示部４３に表示する画像情報であり、具体的には、情報出力装置４の動作モードが通常監視モードとは異なるモード（つまり、メンテナンスモード又は施工モード）に設定された場合に表示する画面（つまり、図５の「管理画面６」）を特定する情報であって、図２の項目「特殊レイヤ」に対応して記憶される情報（つまり、特殊レイヤ）における通り芯情報に対応する情報（例えば、図５の通り芯画像６１及び通り芯識別画像６２に対応する情報）を含んでいる第２情報である。
【００５１】
また、管理画面６は、防災システム１００を管理するための図面情報の画面であり、具体的には、前述したレイアウト画像５０、防排煙装置シンボル５１、及び感知器シンボル５２に加えて、通り芯特定画像６１及び通り芯識別画像６２を含んでいる画面である。通り芯特定画像６１は、建築物の各通り芯自体を示す画像である。また、通り芯識別画像６２は、通り芯特定画像６１が示している各通り芯を一意に識別するための画像（図５の場合、「Ｘ１」、「Ｘ２」、「Ｙ１」等）である。
【００５２】
図３に戻って、ＳＡ６での処理について具体的には、ＳＡ３での通常監視画像情報を生成する場合と同様にして、レイアウト画像５０、防排煙装置シンボル５１、及び感知器シンボル５２に対応する情報を生成する。次に、記憶部４４に記憶されている図２の特殊レイヤ特定情報を参照し、ＳＡ１で受信した動作モード指定情報及び表示倍率指定情報が該当する条件に対応する特殊レイヤ（例えば、図２の「特殊レイヤＬｍ」等）を取得する。次に、取得した特殊レイヤに含まれている「通り芯情報」に基づいて、通り芯特定画像６１及び通り芯の識別画像６２に対応する情報を生成することにより、図５の管理画面６に対応する管理画像情報を生成する。
【００５３】
次に、図３のＳＡ７において画像処理部４５３は、ＳＡ６で生成した管理画像情報を、ＳＡ１で受信した表示倍率指定情報が指定する表示倍率に対応した表示となり、且つ、ＳＡ６で取得した特殊レイヤに含まれている通り芯情報の「通り芯表示状態情報」に対応した表示となるように、表示部４３に表示した後、ＳＡ１に移行する。ここでは、例えば、表示倍率指定情報が「１倍」を指定しており、且つ、ＳＡ６で取得した特殊レイヤが図２の特殊レイヤＬｍである場合、図５の管理画面６のように表示する。
【００５４】
（処理‐出力処理‐具体例）
次に、図３〜図６等を参照して、情報出力装置４によって行われる出力処理の具体例について説明する。図６は、実施の形態に係る管理画像情報を２倍の表示倍率で表示した場合の表示例である。
【００５５】
ここでは、図３のＳＡ１で通常監視モード指定情報と、「１倍」の表示倍率指定情報を受信した場合の具体例（以下、「第１例」）と、ＳＡ１でメンテナンスモード指定情報と、「１倍」の表示倍率指定情報を受信した後、再度のＳＡ１でメンテナンスモード指定情報と、「２倍」の表示倍率指定情報を受信した場合の具体例（以下、「第２例」）とについて説明する。
【００５６】
（処理‐出力処理‐具体例‐第１例）
図３のＳＡ１で通常監視モード指定情報と、「１倍」の表示倍率指定情報を受信した場合、ＳＡ２において制御部４５は、情報出力装置４の動作モードを通常監視モードに設定すると判定した（ＳＡ２のＹＥＳ）後、情報出力装置４の動作モードを通常監視モードに設定し、ＳＡ３において通常監視画像情報を生成し、この後、生成した通常監視画像情報を、ＳＡ４において図４の通常監視画面５のように表示する。
【００５７】
そして、この通常監視画面５が表示されている場合（つまり、通常監視モードの場合）において、図１の感知器２が異常発生を検出した場合、異常発生を検出した感知器２は、自己を一意に識別するための感知器識別情報を含む発報信号を出力する。一方、情報出力装置４は、感知器２が出力した発報信号を、受信機本体３を介して受信し、受信した発報信号に含まれている感知器識別情報に基づいて当該発報信号を出力した感知器２を特定し、特定した感知器２に対応する感知器シンボル５２が表示されている領域（例えば、図４の領域５０ａ）を強調表示したり、当該領域に不図示の火災シンボルを表示したりして、当該領域に対応する領域で異常が発生したことを報知する。従って、図４の通常監視画面５を視認することにより、監視領域の状態を監視することが可能になる。また、この通常監視画面５には、図５の通り芯画像６１及び通り芯識別画像６２が表示されていないために、表示がシンプルになっており、各画像の視認性が向上し、監視領域の状態の把握が容易になるために、監視領域の状態を監視する監視作業の作業効率を向上させることが可能になる。
【００５８】
（処理‐出力処理‐具体例‐第２例）
一方、図３のＳＡ１でメンテナンスモード指定情報と、「１倍」の表示倍率指定情報を受信し場合、ＳＡ２において制御部４５は、情報出力装置４の動作モードを通常監視モードを設定しないと判定した（ＳＡ２のＮＯ）後、ＳＡ５で認証を行う。そして、ＳＡ５においてユーザの管理レベルが正当であるものと判断した場合（ＳＡ５のＹＥＳ）、情報出力装置４の動作モードをメンテナンスモードに設定し、ＳＡ６において制御部４５は、図２の特殊レイヤ特定情報を参照し、「メンテナンスモード」且つ「１倍」に該当する条件（図２の「動作モードがメンテナンスモード又は施工モード、且つ、表示倍率が２倍未満」）に対応する特殊レイヤ（図２の「特殊レイヤＬｍ」）を取得し、取得した情報等に基づいて管理画像情報を生成し、この後、生成した管理画像情報を、ＳＡ７において図５の管理画面６のように表示する。この場合、図３のＳＡ６で取得した特殊レイヤＬｍの通り芯情報の「通り芯表示状態情報」において、通り芯が破線で表示され、且つ、通り芯識別情報に対応する情報が画面の端のみに表示されることが定められているので、通り芯画像６１が破線で表示され、且つ、通り芯識別画像６２が管理画面６の端のみに表示されることになる。
【００５９】
そして、この管理画面６が表示されている場合（つまり、例えばメンテナンスモードの場合）において、図１の防災システム１００に含まれている防災機器（ここでは、防排煙装置１、感知器２）のメンテナンスを行う場合、管理画面６に基づいて、メンテナンスを行うメンテナンス対象機器を指定することができる。具体的には、図５の管理画面６が表示されている場合において、感知器シンボル５２ａに対応する感知器をメンテナンス対象機器として指定する場合、例えば、図５の通り芯画像６１及び通り芯識別画像６２を用いて、「Ｘ１」、「Ｘ２」、「Ｙ４」、及び「Ｙ５」に対応する通り芯で囲まれた領域に設けられている感知器を指定することにより、メンテナンス対象機器を指定する作業者及びメンテナンス対象機器のメンテナンスを実際に行う作業者の双方において、メンテナンス対象機器を一意に特定することが可能になる。
【００６０】
この後、例えば細かい部分の視認性を向上させるために、管理画面６の範囲Ａｒを２倍で拡大表示するために、図３に戻って、再度のＳＡ１でメンテナンスモード指定情報と、「２倍」の表示倍率指定情報を受信し場合、ＳＡ２のＮＯ、ＳＡ５のＹＥＳの後、ＳＡ６において制御部４５は、図２の特殊レイヤ特定情報を参照し、「メンテナンスモード」且つ「２倍」に該当する条件（図２の「動作モードがメンテナンスモード又は施工モード、且つ、表示倍率が２倍以上〜４倍未満」）に対応する特殊レイヤ（図２の「特殊レイヤＬｍ２」）を取得し、取得したこれらの情報等に基づいて管理画像情報を生成し、この後、生成した管理画像情報を、ＳＡ７において図６の管理画面６のように表示する。この場合、図３のＳＡ６で取得した特殊レイヤＬｍ２の通り芯情報の「通り芯表示状態情報」において、通り芯が破線で表示され、且つ、通り芯識別情報に対応する情報が画面の端及び柱の近傍の双方に表示されることが定められているので、通り芯画像６１が破線で表示され、且つ、通り芯識別画像６２が管理画面６の端及び各柱５０２の近傍の双方に表示されることになる。
【００６１】
（実施の形態の効果）
このように本実施の形態によれば、防災システム１００に含まれている装置の位置を特定する位置特定情報（ここでは、通り芯情報）を出力することができるので、当該情報に基づいて防災システム１００に含まれている装置の位置を容易に特定することができ、防災システム１００に関する作業の作業効率を向上させることができる。
【００６２】
また、防災システム１００が設けられている建築物の通り芯の位置を特定する情報を出力することができるので、建築物の柱と防災システム１００に含まれている装置（例えば、感知器２）の相対的位置関係に基づいて、防災システム１００に含まれている装置の位置を容易に特定することができ、防災システム１００に関する作業の作業効率を向上させることができる。
【００６３】
また、通常監視モード指定情報を受信した場合に、位置特定情報を出力せず、メンテナンスモード指定情報又は施工モード指定情報を受信した場合に、位置特定情報を出力することができるので、各モードに応じた適切な情報を出力し、防災システム１００に関する作業の作業効率を向上させることができる。従って、例えば、監視モードを指定した場合、位置特定情報を出力しないので、冗長な情報が出力されるのを防止し、防災システム１００に含まれている装置を効率良く監視することができる。また、例えば、管理モードを指定した場合、位置特定情報を出力するので、当該情報に基づいて防災システム１００に含まれている装置の位置を容易に特定することができ、防災システム１００に含まれている装置のメンテナンス作業、又は、当該装置の設置に関する施工作業等を、効率良く行うことができる。
【００６４】
また、例えば図５のように、レイアウト画像５０、防排煙装置シンボル５１、感知器シンボル５２、通り芯画像６１及び通り芯識別画像６２を表示することができるので、当該表示の目視確認により、防災システム１００に含まれている装置の位置を容易に特定することができ、防災システム１００に関する作業の作業効率を向上させることができる。
【００６５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６７】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、図１の情報出力装置４の各構成要素を、分散配置した上でネットワークを介して相互に接続してもよい。具体的には、情報出力装置４の各構成要素の全部又は一部の要素が受信機本体３に設けられることとしてもよいし、情報出力装置４の各構成要素の全部又は一部の要素が、受信機本体３以外の装置に設けられることとしてもよい。
【００６８】
（画像情報について）
また、上記実施の形態では、図３のＳＡ３で生成する通常監視画像情報、及びＳＡ６で生成する管理画像情報を、図１の情報出力装置４の表示部４３に表示することにより出力する場合について説明したが、これに限られるものではない。例えば、通常監視画像情報、及び管理画像情報を、図１の受信機本体３に備えられている表示ディスプレイに表示することにより出力することとしてもよいし、各情報を所定の用紙に印字したり、通信部４１を介して他の装置に送信したりして、出力することとしてもよい。
【００６９】
（特殊レイヤについて）
また、上記実施の形態では、図２の特殊レイヤに、防災システム１００に含まれている装置の位置を特定する位置特定情報として、通り芯情報が含まれている場合について説明したが、これに限られるものではない。例えば、特殊レイヤに、前述の通り芯情報、消防用の配線の位置等を特定する情報、及び建築物の各領域の出入口の位置を特定する情報の全て、又は、これらの情報のうちの一部が含まれていることとしてもよい。この場合、メンテナンスモード又は施工モードの場合、この特殊レイヤに含まれている情報に対応する情報を、表示することとする。
【００７０】
また、上記実施の形態では、図２の特殊レイヤ特定情報において、表示倍率が同じであれば、メンテナンスモード及び施工モードにおいて、同様な特殊レイヤが対応付けられている場合について説明したが、これに限られるものではない。例えば、メンテナンスモード及び施工モード夫々に対応し、互いに異なる特殊レイヤが設けられていることとしてもよい。
【００７１】
また、上記実施の形態では、図２の特殊レイヤ特定情報における特殊レイヤが用いられる条件を特定する情報（以下、条件特定情報）が、動作モード及び表示倍率に対応する情報である場合について説明したが、これに限られるものではない。例えば、条件特定情報が動作モード及び表示倍率のうちの動作モードのみに対応する情報であることとしてもよい。この場合、メンテナンスモード指定情報又は施工モード指定情報を受信して、例えば図５の管理画面６を表示した後に表示倍率を変更したとしても、当該表示倍率の変更の前後において同じ通り芯表示状態情報が用いられるので、通り芯識別情報に対応する情報（例えば、図５の通り芯識別画像６２）の表示状態を変えずに、単に管理画面６中の情報の表示サイズのみを変更することができる。
【００７２】
また、上記実施の形態の図２の特殊レイヤ特定情報における各特殊レイヤ（図２の「特殊レイヤＬｍ」、「特殊レイヤＬｍ２」、「特殊レイヤＬｍ４」）は、互いに異なる情報であることとしてもよし、少なくとも一部が同じ情報であることとしてもよい。
【００７３】
また、上記実施の形態の図２の特殊レイヤ特定情報において、表示倍率が１倍未満の場合の特殊レイヤでは、「通り芯表示状態情報」において、図５の通り芯特定画像６１及び通り芯識別画像６２を倍率に応じて間引いて表示することが定められていることとしてもよい。ここで、「倍率に応じて間引いて表示する」とは、倍率が低くなるにつれて間引き量が多くなるように表示することに対応している。この場合、図５の管理画面６をデフォルトサイズに対して縮小表示した場合に、通り芯特定画像６１及び通り芯識別画像６２が互いに重なり合って視認難くなるのを防止して、視認性を向上させることが可能になる。
【００７４】
（管理画面の表示について）
また、上記実施の形態の図３のＳＡ７では、ＳＡ６で生成した管理画像情報を例えば図５の管理画面６のように表示する場合について説明したが、これに限られるものではない。例えば、図２の特殊レイヤ特定情報の特殊レイヤが、図５の通り芯画像６１、及び通り芯識別画像６２等の画像を位置特定情報として含んでいる画像情報であることとし、図３のＳＡ１で受信した表示倍率指定情報が指定する表示倍率に応じて、画像を重ね合わせることにより管理画面を表示することとしてもよい。この場合について具体的には、後述の第１〜第３特殊レイヤが設けられており、図２において、特殊レイヤＬｍの代わりに第１特殊レイヤが記憶されており、特殊レイヤＬｍ２の代わりに第１特殊レイヤ及び第２特殊レイヤが記憶されており、特殊レイヤＬｍ４の代わりに第１〜第３特殊レイヤが記憶されていることし、図２の条件に対応する特殊レイヤを重ね合わせることにより管理画面を表示する。例えば、第１特殊レイヤには、図５のように、通り芯画像６１、及び画面の端に表示される通り芯識別画像６２（図５の「Ｘ１」等）が含まれており、第２特殊レイヤには、図６のように、柱５０２の近傍に表示される通り芯識別画像６２（図６の（Ｘ１，Ｙ３）等）が含まれており、第３特殊レイヤには、柱５０２に重ねて表示される通り芯識別画像６２（不図示）が含まれていることとする。この場合において、「１倍」を指定する場合、第１特殊レイヤを図４の通常監視画面５に重ね合わせることにより、図５の管理画面６を表示し、「２倍」を指定する場合、第１及び第２特殊レイヤを通常監視画面５に重ね合わせることにより、図６の管理画面６を表示し、「４倍」を指定する場合、第１〜第３特殊レイヤを通常監視画面５に重ね合わせることにより、対応する管理画面（不図示）を表示することになる。なお、画面の端に表示される通り芯識別画像６２については、拡大した場合においても、フレームアウトすること無く、常に画面の端に表示されるようにすることとしてもよい。また、表示されている第１〜第３特殊レイヤについては、図１の操作部４２からの操作入力に基づいて、表示又は非表示を選択可能となっていることとしてもよいし、表示後において各特殊レイヤに含まれている画像の表示位置を調整することが可能となっていることとしてもよい。
【００７５】
（管理画面の表示態様について）
また、上記実施の形態において、図５の管理画面６を、図４の通常監視画面５と並べて表示することとしてもよい。この場合、監視領域の状態を監視しつつ防災システム１００に含まれている装置の位置を把握することが可能となる。また、管理画面６を表示している場合において、異なる表示倍率を指定する表示倍率指定情報を受信した場合、倍率変更前の管理画面と倍率変更後の管理画面とを、並べて表示したり、重ねて表示したりしてもよい。なお、重ねて表示する場合、倍率変更後の管理画面と変更前の管理画面との対応関係（例えば、管理画面を拡大する場合、拡大後の管理画面が拡大前の管理画面におけるどの位置に対応しているか等の対応関係）がわかるように、表示することとしてもよい。
【００７６】
（レイヤについて）
また、上記実施の形態では、図１の記憶部４４に記憶されている各情報が特定しているレイヤ（以下、記憶部４４のレイヤ）に基づいて、図４の通常監視画面５及び図５の管理画面６を生成して表示する場合について説明したが、これに限られるものではない。例えば、記憶部４４のレイヤに対応する情報であってレイヤ形式ではない当該情報が記憶部４４に記憶されており、この記憶されている情報に基づいて各画面を生成して表示することとしてもよい。
【００７７】
（動作モードについて）
また、上記実施の形態では、図１の情報出力装置４に設定される動作モードとして、通常監視モード、メンテナンスモード、及び施工モードの３つのモードが設けられている場合について説明したが、これに限られるものではない。例えば、情報出力装置４に設定される動作モードとして、通常監視モードと、メンテナンスモード又は施工モードの何れか一つのモードとの２つのモードが設けられていることとしてもよいし、通常監視モードと同様なモードが２つ以上設けられており、且つ、メンテナンスモード又は施工モードと同様なモードが２つ以上設けられていることとしてもよい。
【００７８】
（付記）
付記１の防災受信機は、防災システムに関する情報を格納する格納手段と、前記格納手段が格納している情報に基づいて、前記防災システムの位置を特定する位置特定情報を出力する出力手段と、を備える。
【００７９】
また、付記２の防災受信機は、付記１に記載の防災受信機において、前記出力手段は、前記防災システムが設けられている建築物の通り芯の位置を特定する情報を、前記位置特定情報として出力する。
【００８０】
また、付記３の防災受信機は、付記１又は２に記載の防災受信機において、前記防災システムを監視する監視モードを指定する監視モード指定情報又は前記防災システムを管理する管理モードを指定する管理モード指定情報のうちの、何れか一方の指定情報を受信する受信手段、を備え、前記出力手段は、前記受信手段が前記監視モード指定情報を受信した場合に、前記位置特定情報を出力せず、前記受信手段が前記管理モード指定情報を受信した場合に、前記位置特定情報を出力する。
【００８１】
また、付記４の防災受信機は、付記１から３のいずれか一項に記載の防災受信機において、前記出力手段は、防災受信機の表示装置を含んでおり、前記表示装置は、前記防災システムが設けられている建築物の地図画像、及び前記防災システムの画像を、前記位置特定情報と共に表示する。
（付記の効果）
【００８２】
付記１に記載の防災受信機によれば、防災システムの位置を特定する位置特定情報を出力することができるので、当該情報に基づいて防災システムの位置を容易に特定することができ、防災システムに関する作業の作業効率を向上させることができる。
【００８３】
付記２に記載の防災受信機によれば、防災システムが設けられている建築物の通り芯の位置を特定する情報を出力することができるので、建築物の柱と防災システムとの相対的位置関係に基づいて、防災システムの位置を容易に特定することができ、防災システムに関する作業の作業効率を向上させることができる。
【００８４】
付記３に記載の防災受信機によれば、監視モード指定情報を受信した場合に、位置特定情報を出力せず、受信手段が管理モード指定情報を受信した場合に、位置特定情報を出力することができるので、各モードに応じた適切な情報を出力し、防災システムに関する作業の作業効率を向上させることができる。従って、例えば、監視モードを指定した場合、位置特定情報を出力しないので、冗長な情報が出力されるのを防止し、防災システムを効率良く監視することができる。また、例えば、管理モードを指定した場合、位置特定情報を出力するので、当該情報に基づいて防災システムの位置を容易に特定することができ、防災システムのメンテナンス作業、又は、当該防災システムの設置に関する施工作業等を、効率良く行うことができる。
【００８５】
付記４に記載の防災受信機によれば、建築物の地図画像、及び防災システムの画像を、位置特定情報と共に表示することができるので、当該表示の目視確認により、防災システムの位置を容易に特定することができ、防災システムに関する作業の作業効率を向上させることができる。
【符号の説明】
【００８６】
１  防排煙装置
２  感知器
３  受信機本体
４  情報出力装置
５  通常監視画面
６  管理画面
４１  通信部
４２  操作部
４３  表示部
４４  記憶部
４５  制御部
５０  レイアウト画像
５０ａ  領域
５１  防排煙装置シンボル
５２、５２ａ  感知器シンボル
６１  通り芯画像
６２  通り芯識別画像
１００  防災システム
３００  受信機
４５１  モード判定部
４５２  認証部
４５３  画像処理部
５０１  壁
５０２  柱
５０３  扉
Ａｒ  範囲
【図１】
0006499471.tif 000002
【図２】
0006499471.tif 000003
【図３】
0006499471.tif 000004
【図４】
0006499471.tif 000005
【図５】
0006499471.tif 000006
【図６】
0006499471.tif 000007